(57)【要約】【課題】  本発明は、口部材付き容器においても、キャンペーン用ラベルを用いたキャンペーンを容易に行えるようにすることを課題とする。【解決手段】  可撓性を有する前後面片の両側にシート体を内側へ屈曲させて折り畳み形成したガセットを有する容器本体が連接された長尺状シート体を、所定長さに切断することにより、ガセットを有する容器本体を形成し、該容器本体の上縁部に口部材を取り付ける口部材付き容器の製造方法において、前記切断以前の長尺状シート体の表面で且つ折り畳まれた両ガセットの先端間の間隔部に、キャンペーン用ラベルを貼着することにある。【選択図】  図１
2010269601.tif 000002
【特許請求の範囲】
【請求項１】
可撓性を有する前後面片の両側にシート体を内側へ屈曲させて折り畳み形成したガセットを有する容器本体が連接された長尺状シート体を、所定長さに切断することにより、ガセットを有する容器本体を形成し、該容器本体の上縁部に口部材を取り付ける口部材付き容器の製造方法において、
前後面片及び両側部のガセットをそれぞれ角部を介して連設し、長手方向に沿う接着箇所を角部のみに設けることで、容器本体を形成し、
ガセットと重なるのを防止すべく、前記切断以前のシート体における前後面片の少なくとも一方の表面で且つ折り畳まれた両ガセットの先端間の間隔部に、キャンペーン用ラベルを貼着することを特徴とする口部材付き容器の製造方法。
【請求項２】
可撓性を有する前後面片の両側にシート体を内側へ屈曲させて折り畳み形成したガセットを有する容器本体が連接された長尺状シート体において、
前記前後面片の少なくとも一方の表面に貼着されるキャンペーン用ラベルを備え、
容器本体は、前後面片及び両側部のガセットがそれぞれ角部を介して連設され、長手方向に沿う接着箇所が角部のみに設けられてなり、
キャンペーン用ラベルは、ガセットと重なるのを防止すべく、両ガセットの先端間の間隔部に貼着されていることを特徴とする長尺状シート体。
【請求項３】
可撓性を有するシート体から前後面片と内側へ折り込まれるガセットが形成されてなる容器本体と、該容器本体の上縁部に取り付けられた口部材とを備えた口部材付き容器において、
前記前後面片の少なくとも一方の表面に貼着されるキャンペーン用ラベルを備え、
容器本体は、前後面片及び両側部のガセットがそれぞれ角部を介して連設され、長手方向に沿う接着箇所が角部のみに設けられてなり、
キャンペーン用ラベルは、ガセットと重なるのを防止すべく、両ガセットの先端間の間隔部に貼着されていることを特徴とする口部材付き容器。
【発明の詳細な説明】
【技術分野】
【０００１】
本発明は、可撓性シート体によって形成された口部材付き容器の製造方法及びその容器並びに長尺状シート体に関する。
【背景技術】
【０００２】
従来、お茶やジュース等の清涼飲料を充填する容器としては、ガラスやプラスチック製等の剛性を有する容器本体に筒状ラベルを装着した容器や金属缶容器（剛性容器）と、合成樹脂フィルム等のシート体を袋状に作成してなる可撓性を有する容器本体の上縁部に、ストローとして機能する口部材を挿入して取り付けた容器（口部材付き容器）とが公知である。
【０００３】
一方、飲料商品の販売促進のために、その購入者が応募することにより、種々の景品が当たるといった景品キャンペーン等が頻繁に行われている。キャンペーンに参加する場合には、例えば容器に貼着されたキャンペーン用ラベルとしての応募シールを葉書等に貼付して郵送したり、また、キャンペーン用ラベルに付されたＩＤ番号をキャンペーン主催者に通知することにより当選の結果が判明するようになっている。
【発明の概要】
【発明が解決しようとする課題】
【０００４】
前記キャンペーンに使用される容器は、前記剛性容器のみであって、前記口部材付き容器は、キャンペーンに使用されていなかった。このように口部材付き容器がキャンペーンに使用されていない要因として以下のことが考えられる。即ち、キャンペーン用ラベルを前記剛性容器に貼着する場合には、一般的に内容物が充填された容器が移送されるコンベア上等でタックラベラー等を使用して貼付されているが、口部材付き容器は、可撓性を有する袋状であることから、一定の状態で移送することが難しく、また、容器本体が容易に変形するため、キャンペーン用ラベルを貼着する作業性が悪かったためと考えられる。
【０００５】
そこで、本発明は上記問題を解決すべくなされたもので、口部材付き容器においても、キャンペーン用ラベルを用いたキャンペーンを容易に行えるようにすることを課題とする。
【課題を解決するための手段】
【０００６】
本発明に係る口部材付き容器の製造方法は、上記課題を解決すべくなされたものであり、可撓性を有する前後面片の両側にシート体を内側へ屈曲させて折り畳み形成したガセットを有する容器本体が連接された長尺状シート体を、所定長さに切断することにより、ガセットを有する容器本体を形成し、該容器本体の上縁部に口部材を取り付ける口部材付き容器の製造方法において、前後面片及び両側部のガセットをそれぞれ角部を介して連設し、長手方向に沿う接着箇所を角部のみに設けることで、容器本体を形成し、ガセットと重なるのを防止すべく、前記切断以前のシート体における前後面片の少なくとも一方の表面で且つ折り畳まれた両ガセットの先端間の間隔部に、キャンペーン用ラベルを貼着することを特徴とする。
【０００７】
また、本発明に係る長尺状シート体は、可撓性を有する前後面片の両側にシート体を内側へ屈曲させて折り畳み形成したガセットを有する容器本体が連接された長尺状シート体において、前記前後面片の少なくとも一方の表面に貼着されるキャンペーン用ラベルを備え、容器本体は、前後面片及び両側部のガセットがそれぞれ角部を介して連設され、長手方向に沿う接着箇所が角部のみに設けられてなり、キャンペーン用ラベルは、ガセットと重なるのを防止すべく、両ガセットの先端間の間隔部に貼着されていることを特徴とする。
【０００８】
従って、キャンペーン用ラベルを、切断以前の扁平状で且つ長尺状である長尺状シート体に貼着するため、連続してラベルの貼着作業が確実且つ迅速に行えることとなる。
【０００９】
しかも、前記切断以前の長尺状シート体の表面で且つ折り畳まれた両ガセットの先端間の間隔部に、キャンペーン用ラベルを貼着することにより、該長尺状シート体を巻き取っても、ガセットとキャンペーン用ラベルが重なって嵩張ることはほとんどない。
【００１０】
また、本発明に係る口部材付き容器は、可撓性を有するシート体から前後面片と内側へ折り込まれるガセットが形成されてなる容器本体と、該容器本体の上縁部に取り付けられた口部材とを備えた口部材付き容器において、前記前後面片の少なくとも一方の表面に貼着されるキャンペーン用ラベルを備え、容器本体は、前後面片及び両側部のガセットがそれぞれ角部を介して連設され、長手方向に沿う接着箇所が角部のみに設けられてなり、キャンペーン用ラベルは、ガセットと重なるのを防止すべく、両ガセットの先端間の間隔部に貼着されていることを特徴とする。
【発明の効果】
【００１１】
以上のように本発明の口部材付き容器の製造方法においては、任意の種類に対応したキャンペーン用ラベルが貼付された口部材付き容器を容易且つ迅速に製造して市場に提供することができ、口部材付き容器による任意のキャンペーンを行える利点がある。
【００１２】
また本発明に係る長尺状シート体は、前記方法を容易に実施できるものである。
【図面の簡単な説明】
【００１３】
【図１】本発明の第一実施の形態における一部破断を含む口部材付き容器の斜視図。
【図２】（イ）は長尺状シート体を示す正面図、（ロ）は長尺状シート体を容器本体とスクラップに切断した状態の正面図。
【図３】（イ）は容器の正面図、（ロ）は図２（イ）に示すＡ−Ａ線矢視断面図。
【図４】本発明の第二実施の形態における一部破断を含む口部材付き容器の斜視図。
【図５】（イ）は長尺状シート体を示す正面図、（ロ）は長尺状シート体を容器本体とスクラップに切断した状態の正面図。
【図６】（イ）は容器の正面図、（ロ）は図５（イ）に示すＢ−Ｂ線矢視断面図。
【発明を実施するための形態】
【００１４】
以下、本発明の実施の形態について説明する。図１〜図３は本発明の第一実施の形態を示し、１は所定形状（例えば、正面視長方形状等）に形成された容器本体２の上縁部に口部材３が具備された口部材付き容器を示す。
【００１５】
前記容器本体２は、例えば、内面が熱融着性樹脂によって形成されたガスバリアー性を有する積層フィルムからなるシート体片から袋状に形成され、しかも、容器本体２は自立可能になっている。
【００１６】
具体的には、容器本体２は、図１及び図３に示すように前後面片１ａ，１ｂ及び両側部のガセット５ａ，５ｂがそれぞれ角部４を介して連設されている。四方の角部４のうち、三方の角部４ａはシート体が折り曲げられて形成されて、さらにシート体の内面側が所定幅でヒートシールされて外面側に突出している。また、シート体の両縁部同士をヒートシールさせて残りの角部４ｂを形成している。
【００１７】
また、容器本体２は、前記のように一枚のシート体から形成する以外に、一対の前後面片用シート体と、ガゼット用シート体とから構成しても良い。尚、図において、便宜上、シート体の接着箇所６ａを網掛けで示す。
【００１８】
前記容器本体２のシート体の材質として、ポリエチレンテレフタレート等のポリエステルフィルムやポリアミドフィルム等とアルミホイルやエチレンビニルアルコール共重合体フィルムや無機物を蒸着したフィルム等のガスバリアー性フィルムを積層したフィルムの内面にポリエチレンやポリプロピレン等のヒートシール性樹脂の層を形成した積層フィルムや、その他の合成樹脂性フィルム等の任意の材質を使用可能で、要は内面側がヒートシール可能で内部に飲料やその他目的の被収納物を収納可能なものであればよい。
【００１９】
前記口部材３は、前記前後面片１ａ, １ｂの開口上縁部に接着され、その上部が容器本体２の外部に延設され、且つ被充填物の充填口又は注ぎ出し口となる。また、口部材３は、容器本体２内部に延設された断面視略十字状又は筒状等の注出補助部３ａを有する。
【００２０】
尚、口部材３は、例えば、ポリエチレンやポリプロピレン等の熱融着性の合成樹脂によって形成されている。また、被充填物として、飲料等の液体やゼリー状等の流動性食品にも使用できる。上記口部材３の上部には、キャップ７が螺合により装着される。このような口部材付き容器としては、例えば特開平８−１３３３０８号公報、特開２０００−４３８９７号公報、特許２９４９６９４号公報及び実公平２−２１３９９号公報に記載のものがある。
【００２１】
前記前面片１ａの表面で且つ左右方向の中央には、キャンペーン用ラベル１０が貼着されている。該キャンペーン用ラベル１０は、キャンペーン専用の個々の表示を印刷した応募シール等である。キャンペーン用ラベル１０としては、ポリエチレンテレフタレートやポリプロピレン等からなるフィルムや合成紙、又は紙基材に、容器表面から剥離しハガキ等に再接着可能な粘着剤が塗布されたタックラベルが使用されるが、本発明の口部材付き容器は水等に濡れる場合が多いので耐水性を有する基材が好ましく、特に充填時や商品流通時の容器本体の変形に追従性がありシワ等が残り難く且つ、タックラベラーによるラベリングにも適した、無機微粒子を含有したポリエチレンやポリプロピレン等のポリオレフィン系樹脂を延伸して紙状に形成した厚さ４０〜１００μｍのボイド含有型の合成紙が好ましい。このような合成紙としては、二軸延伸された層と一軸延伸された層から形成された例えば、王子油化合成紙株式会社のユポ等が使用できる。また、ラベル１０は、例えば複数のシート面が剥離可能に重ね合わされた冊子状のものでも良い。
【００２２】
また、前記キャンペーン用ラベル１０の幅長Ｌ１は、図３（ロ）に示す如く偏平状に折り畳まれたガセット５ａ，５ｂの先端部の間隔Ｌ２よりも小さくなるように設定されている。
【００２３】
次に、前記口部材付き容器１の製造方法について説明する。先ず、図２に多数の容器本体２が連設されてなる長尺状シート体１２を示す。かかる長尺状シート体１２は、筒状で且つ両側を内側に折り畳んでガセット折りした長尺状のフィルムを巻き取ったものである。また、ガセット５ａ，５ｂは二つ折りされているが、それぞれの先端間に形成された間隔に位置するように、前面片１ａの表面に各キャンペーン用ラベル１０が所定間隔をおいて貼着されている。
【００２４】
キャンペーン用ラベル１０を貼着する手段としては、前記積層フィルムからなるシート体を筒状且つ扁平状に製袋しながら又は、製袋後一旦ロール状に巻き取った扁平状の長尺状シート体１２を繰り出しながら、その所定の位置にラベラー等でキャンペーン用ラベル１０を所定間隔をおいて順次連続的に貼着する。
【００２５】
このようにキャンペーン用ラベル１０は、偏平状態の長尺状シート体１２に貼着することから、連続して容易に貼着することができ、貼着作業の自動化が容易である。また、キャンペーン用ラベル１０が貼着された長尺状シート体１２はロール状に巻き取られるが、図３（ロ）に示す如く、キャンペーン用ラベル１０は、ガセット５ａ，５ｂの位置しない前後面片１ａ, １ｂ部分のみの薄肉部分に貼着されていることから、嵩張ることはほとんどない。
【００２６】
次に、前記長尺状シート体１２は、従来公知の容器の製造装置のリールにセットされて巻き戻される際に、仮想部６ｂをカッターで切断することにより、図２（ロ）に示す如く容器本体２及び次の容器本体２の底部を形成するために切断されたスクラップ２０とを同時に形成する。
【００２７】
その後、前記袋状に作成してなる容器本体２の開口する上縁部に、口部材３を挿入し、且つ容器本体２と口部材３とをシール装置により装着し、口部材付き容器を自動的に製造する。このようにして作成された口部材付き容器は、口部材３を介して被収納物が充填される。この際、容器本体が膨れるがキャンペーン用ラベル１０が前記ポリオレフィン系樹脂からなるボイド含有型合成紙より形成されている場合は、容器本体の変形に追従しやすく、前記剥離し、再接着可能な粘着剤を使用しているにもかかわらず、剥がれる等の充填時の不都合も無い。
【００２８】
また、本発明の製造方法によれば、注出補助部３ａを有する口部材３を装着する前にラベル１０を貼付するため、貼付時に注出補助部３ａに対応する部分へも容易に貼付できる。
【００２９】
また、キャンペーン用ラベル１０の位置は、前記第一実施の形態に限定されるものではなく、図４〜図６に示す実施の形態でも良い。即ち、図４〜図６は本発明の第二実施の形態を示し、キャンペーン用ラベル１０は容器本体２の前面片１ａの表面のガセット５ａに対応する部分に設けられている。かかる場合には、各容器本体２を切断する以前の扁平に折り畳まれた長尺状シート体１２の厚くなってコシのある平面部分（押圧によって変形し難くなっている部分）にキャンペーン用ラベル１０を貼着するため、長尺状で且つ扁平状態の長尺状シート体を送りながら、ラベル１０を更に安定して貼着するのに有利である。
【００３０】
尚、本第一実施の形態及び第二実施の形態では、前面片１ａにキャンペーン用ラベル１０を貼着したが、後面片１ｂに設けても、あるいは、両面片に設けても良い。しかも、第二実施の形態では、一方側のガセット５ａ側にキャンペーン用ラベル１０を設けたが、両方のガセット５ａ，５ｂ側に設けても良い。また、上記実施の形態では、キャンペーン用ラベル１０を貼付した長尺状シート体１２のロールを容器の製造装置にセットして巻き戻しながら切断して口部材３を装着したが、本発明の口部材付き容器は、積層フィルムを製袋しながらラベル１０を貼付し、各容器本体に切断した後、別の装置によって各容器本体に口部材３を装着したものでも良い。
【００３１】
また、キャンペーン用ラベル１０の種類や応募形態は、特に限定されるものではない。
【符号の説明】
【００３２】
２…容器本体、３…口部材、５ａ，５ｂ…ガセット、１０…キャンペーン用ラベル、１２…長尺状シート体、Ｌ１…キャンペーン用ラベルの幅長，Ｌ２…両ガセットの先端間の間隔
【図１】
2010269601.tif 000003
【図２】
2010269601.tif 000004
【図３】
2010269601.tif 000005
【図４】
2010269601.tif 000006
【図５】
2010269601.tif 000007
【図６】
2010269601.tif 000008